(57)【要約】【課題】  コアビットによりくり抜かれる円柱状コンクリートスラブ塊の支持を、チェーン部材と同チェーン部材下端のアンカー係合部材に装填された小型のコイルバネとの併用により適切に行えるようにして、装置全体を小型化できるようにする。【解決手段】  コアビットによりくり抜かれる円柱状コンクリートスラブ塊１ａを支持するため、厚肉のチェーン部材７の下端部に、アンカー係合部材20が装着されており、同アンカー係合部材20の筒状本体14の内部には、柱状体12が設けられるとともに、常時は柱状体12を上方へ付勢するコイルバネ16が装填されている。柱状体12の中心線に沿い形成された雌ねじ孔12ａにはコンクリートスラブ付きアンカー11の雄ねじ部が螺合し、コアビットによるコンクリートスラブ塊１ａのくり抜き完了に伴う同スラブ塊の落下に際して、厚肉のチェーン部材７の伸張動作とコイルバネ16の弾性圧縮とによる緩衝作用が行われる。【選択図】          図３
2005325546.tif 000002
【特許請求の範囲】
【請求項１】
周壁下縁に沿ってカッター部を有するとともに、頂壁中央部に雌ねじ孔を有する円筒状コアビットと、同コアビットの内部に上記雌ねじ孔を通じて垂下される厚肉のチェーン部材と、同チェーン部材の上端部に装着されて上記コアビットの頂壁中央部における上記雌ねじ孔に螺合可能の下端雄ねじ部を有するとともに上端部に架構付きモーター駆動軸系への結合のための雌ねじ部を有する頂部ブロックと、上記チェーン部材の下端部に装着されてコンクリートスラブ付きアンカーへの係合を行うためのアンカー係合部材とを備え、同アンカー係合部材が、上記コンクリートスラブ付きアンカーの雄ねじ部に螺合すべく竪中心線に沿い雌ねじ孔を形成された柱状体と、同柱状体の相対的上下動を許容しながら同柱状体を同心状に内包するとともに上端部に上記チェーン部材の下端部への係止部を有する筒状本体とを備えて、上記柱状体の上端部に設けられた上部バネ受と上記筒状本体の下端部に設けられた下部バネ受との間に緩衝用コイルバネが装填されていることを特徴とする、コンクリートスラブくり抜き装置。
【請求項２】
上記緩衝用コイルバネの下部バネ受が、同下部バネ受の外周面に、上記筒状本体の下端開口部内周面に形成された雌ねじに螺合する雄ネジを備えるとともに、上記下部バネ受の中心部には上記柱状体の下方への移動を許容しうる中心孔が形成されていることを特徴とする、請求項１に記載のコンクリートスラブくり抜き装置。
【請求項３】
上記柱状体の下端外周部に、同柱状体へ一体に係止されるための止めネジ機構を備えたリング部材が設けられて、同リング部材の外周面にスパナ係合用平面部が形成されていることを特徴とする、請求項１または２に記載のコンクリートスラブくり抜き装置。
【発明の詳細な説明】
【技術分野】
【０００１】
本発明は、建造物のコンクリート製床部のごときコンクリートスラブについて、コアビットの回転により円形の貫通孔を形成するための装置に関する。
【背景技術】
【０００２】
従来、コンクリート製床部に立設された架構により竪型モーター駆動機構を支持して、その駆動軸に接続された円筒状のコアビットを回転させることにより、同コアビット下縁のダイヤモンド粉末入りカッター部でコンクリートスラブを円柱状にくり抜くことが行われている。このようにしてくり抜かれた円柱状のコンクリートスラブ塊は、コアビットの中心線に沿う支持索あるいは吊り下げ棒により、大型のバネを介し緩衝的に支持されて、下階の床へ落下するのを防止されるようになっている。
ところで、上述のような従来のコンクリートスラブくり抜き装置では、大型の緩衝用バネを必要とするので、モーター駆動機構とコアビットとの間の支持機構が長大となり、これらを支持する架構も大型となって、作業が著しく大掛かりになるという不具合がある。    
【特許文献１】特開平１１−０９０９２２号公報
【発明の開示】
【発明が解決しようとする課題】
【０００３】
本発明は、コアビットによりくり抜かれる円柱状コンクリートスラブ塊の支持を、チェーン部材と同チェーン部材下端のアンカー係合部材に装填されたコイルバネとの併用により適切に行えるようにして、装置全体を小型化できるようにしたコンクリートスラブくり抜き装置を提供することを課題とする。
【課題を解決するための手段】
【０００４】
前述の課題を解決するため、本発明のコンクリートスラブくり抜き装置は、周壁下縁に沿ってカッター部を有するとともに、頂壁中央部に雌ねじ孔を有する円筒状コアビットと、同コアビットの内部に上記雌ねじ孔を通じて垂下される厚肉のチェーン部材と、同チェーン部材の上端部に装着されて上記コアビットの頂壁中央部における上記雌ねじ孔に螺合可能の下端雄ねじ部を有するとともに上端部に架構付きモーター駆動軸系への結合のための雌ねじ部を有する頂部ブロックと、上記チェーン部材の下端部に装着されてコンクリートスラブ付きアンカーへの係合を行うためのアンカー係合部材とを備え、同アンカー係合部材が、上記コンクリートスラブ付きアンカーの雄ねじ部に螺合すべく竪中心線に沿い雌ねじ孔を形成された柱状体と、同柱状体の相対的上下動を許容しながら同柱状体を同心状に内包するとともに上端部に上記チェーン部材の下端部への係止部を有する筒状本体とを備えて、上記柱状体の上端部に設けられた上部バネ受と上記筒状本体の下端部に設けられた下部バネ受との間に緩衝用コイルバネが装填されていることを特徴としている。
【０００５】
また、本発明のコンクリートスラブくり抜き装置は、上記緩衝用コイルバネの下部バネ受が、同下部バネ受の外周面に、上記筒状本体の下端開口部内周面に形成された雌ねじに螺合する雄ねじを備えるとともに、上記下部バネ受の中心部には上記柱状体の下方への移動を許容しうる中心孔が形成されていることを特徴としている。
【０００６】
さらに、本発明のコンクリートスラブくり抜き装置は、上記柱状体の下端外周部に、同柱状体へ一体に係止されるための止めネジ機構を備えたリング部材が設けられて、同リング部材の外周面にスパナ係合用平面部が形成されていることを特徴としている。
【発明の効果】
【０００７】
上述の本発明のコンクリートスラブくり抜き装置では、架構付きモーター駆動軸系により頂部ブロックを介して回転駆動されるコアビットがコンクリートスラブをくり抜いた際に、同コンクリートスラブ付きアンカーに係合したアンカー係合部材と上記頂部ブロックとの間に設けられている厚肉のチェーン部材の展張作用と、上記アンカー係合部材の内部に装填された緩衝用コイルバネの緩衝作用と相まって、円柱状のコンクリートスラブ塊が安全に且つ確実に支持されるようになり、その階下への落下が十分に防止されるようになる。
そして、展張強度の優れた厚肉のチェーン部材の採用により、従来のワイヤーによる支持方式と比べて大幅に安全性が向上するようになる。
【０００８】
また、緩衝用コイルバネが、アンカー係合部材の筒状本体内部において、アンカー係合用柱状体の上端部における上部バネ受と上記筒状本体の底部の下部バネ受との間にコンパクトに装填されることにより、従来の装置において見られるような架構付きモーター駆動軸系とコアビットとの間に介在する竪軸方向の長大な緩衝機構が不要となり、装置全体の高さを大幅に低減できる効果も得られる。
【０００９】
さらに、上記緩衝用コイルバネの下部バネ受が、上記筒状本体の下端開口部内周面に形成された雌ねじに螺合する雄ねじを有して、上記柱状体の下方移動を許容する中心孔を形成されていると、その分解組立が容易となるほか、メンテナンスの簡便化をもたらす利点も得られる。
【００１０】
また、コンクリートスラブ付きアンカーへ係合するための上記柱状体の下端外周部に、止めネジ機構を介して装着されるリング部材が設けられて、同リング部材の外周面にスパナ係合用平面部が形成されていると、コンクリートスラブ付きアンカーへのアンカー係合部材の取付けに際して、スパナを上記リング部材の外周面における平面部へあてがって回動操作することにより、コンクリートスラブ付きアンカーへのアンカー係合部材の装着作業が、著しく簡便に行われるようになる。
【発明を実施するための最良の形態】
【００１１】
コアビットの回動に伴いくり抜かれたコンクリートの円柱塊は、コンクリートスラブの厚さやコアビットの直径にもよるが、一般には大重量のものとなるので、同円柱塊を支持するチェーンの規格としては、チェーンブロックなどに用いられる高強度のものが用いられる。
また、上記コアビットの回動中に上記チェーンがよじれないように、同チェーンの上端部を支持する頂部ブロックの内部には、同ブロックと上記チェーンとの相対回動を円滑に許容する高性能のベアリングが設けられる。
【実施例】
【００１２】
図１は本発明の１実施例としてのコンクリートスラブくり抜き装置の全体構成を示す要部縦断立面図、図２は上記装置におけるコアビットの頂部ブロックとの係合状態を示す縦断面図、図３は上記装置におけるアンカー係合部材の詳細構造を示す縦断面図、図４は図３のアンカー係合部材における止めネジ機構付きリング部材の斜視図である。
【００１３】
図１に示すように、建造物のコンクリート製床部のごときコンクリートスラブ１に円形の穴をくり抜くための装置が、架構２の柱状部の内側に形成されたラック３に係合する図示しないピニオンをハンドル４の回転操作に伴って昇降させうる竪型モーター５と、同モーター５により回転駆動される円筒状コアビット６とを備えて構成されている。
【００１４】
円筒状コアビット６は、その周壁下縁に沿ってダイヤモンド粉末入りカッター部６ａを備えるとともに、その頂部中央部には、図２に示すごとく、雌ねじ孔６ｂを備えている。そして、雌ねじ孔６ｂを通じ垂下される厚肉のチェーン部材７の上端部には、コアビット６の雌ねじ孔６ｂに螺合しうる下端雄ねじ部８ａを備えた頂部ブロック８が設けられ、同頂部ブロック８の上端にはモーター５の駆動軸系５ａへの結合のための雌ねじ孔８ｂが形成されている。
【００１５】
なお、チェーン７の最上端のリンクに結合された鉛直棒７ａは、ベアリング７ｂを介し頂部ブロック８に対して相対回転可能に設けられている。またコアビット６内へ、その作動時に潤滑用の水を供給する通水孔10が、頂部ブロック８に形成されており、その水がベアリング７ｂへ浸入しないように、同ベアリング７ｂを収容する頂部ブロック８の中心孔８ｃの上端部には、ねじ蓋９が螺合している。
【００１６】
また、チェーン７の下端部には、図１，３に示すように、コンクリートスラブ１付きアンカー11への螺合による係止のためのアンカー係合部材20が設けられている。
【００１７】
図３に示すように、アンカー係合部材20の筒状本体14の内部には、切断完了後のコンクリートスラブ塊１ａ（図１参照）が落下する際の衝撃を緩和できるように、コイルバネ16が装填されている。
すなわち、アンカー係合部材20には、コンクリートスラブ付きアンカー11の雄ねじ部11ａに螺合できるように竪中心線に沿い雌ねじ孔12ａを形成された柱状体12が設けられるとともに、同柱状体12を同心状に内包する筒状本体14が設けられており、同円筒状本体14の上端部にはチェーン部材７の下端部への係止部として、スプリングピン13が挿通固定され、柱状体12の上端部の上部バネ受12ｂと、筒状本体14の下端部の下部バネ受15との間に、緩衝用コイルバネ16が装填されて、同コイルバネ16により常時は柱状体12が上方へ付勢されている。
【００１８】
なお、下部バネ受15は、筒状本体14の下端部内周面に沿う雌ねじ14ａに螺合しうるように、雄ねじ15ａを備えている。
また、下部バネ受15の中心部には、柱状体12の下方への移動を許容しうる中心孔15ｂが形成されている。
【００１９】
さらに、図３および図４に示すように、柱状体12の下端外周部には、同柱状体12へ一体に係止されるための止めネジ機構17を備えたリング部材18が設けられ、同リング部材18の外周面にスパナ係合用平面部18ａが形成されている。
【００２０】
なお、本実施例では、架構２のフート部２ａのコンクリートスラブ１への装着は、打込み式取付けボルト２ｂを介して行われる。
【００２１】
上述の実施例のコンクリートスラブくり抜き装置では、架構付きモーター駆動軸系により頂部ブロック８を介して回転駆動されるコアビット６がコンクリートスラブ１をくり抜いた際に、同コンクリートスラブ付きアンカー11に係合したアンカー係合部材20と頂部ブロック８との間に設けられている厚肉のチェーン部材７の展張作用と、アンカー係合部材20の内部に装填された緩衝用コイルバネ16の緩衝作用と相まって、円柱状のコンクリートスラブ塊１ａが安全に且つ確実に支持されるようになり、その階下への落下が十分に防止されるようになる。
そして、展張強度の優れた厚肉のチェーン部材７の採用により、従来のワイヤーによる支持方式と比べて大幅に安全性が高められるようになる。
【００２２】
また、緩衝用コイルバネ16が、アンカー係合部材20の筒状本体14内部において、アンカー係合用柱状体12の上端部における上部バネ受12ｂと筒状本体14の下端部の下部バネ受15との間にコンパクトに装填されることにより、従来の装置において見られるような架構付きモーター駆動軸系とコアビットとの間に介在する竪軸方向の長大な緩衝機構が不要となり、装置全体の高さを大幅に低減できる効果も得られる。
【００２３】
さらに、緩衝用コイルバネ16の下部バネ受15が、筒状本体14の下端開口部内周面に形成された雌ねじ14ａに螺合する雄ねじ15ａを有して、柱状体12の下方移動を許容する中心孔15ｂを形成されているので、その分解組立が容易となるほか、メンテナンスの簡便化をもたらす利点も得られる。
【００２４】
また、コンクリートスラブ付きアンカー11へ係合するための柱状体12の下端外周部に、止めネジ機構17を介して装着されるリング部材18が設けられて、同リング部材18の外周面にスパナ係合用平面部18ａが形成されているので、コンクリートスラブ付きアンカー11へのアンカー係合部材20の取付けに際して、スパナをリング部材18の外周面における平面部18ａへあてがって回動操作することにより、コンクリートスラブ付きアンカー11へのアンカー係合部材20の装着作業が、著しく簡便に行われるようになる。
【産業上の利用可能性】
【００２５】
本発明のコンクリートスラブくり抜き装置は、建造物のコンクリート製床部のみならず、同建造物のコンクリート製の壁部にエアコン用ダクトを貫通させるような場合にも、同壁部のコンクリートスラブくり抜きのために使用することができる。
【図面の簡単な説明】
【００２６】
【図１】本発明の１実施例としてのコンクリートスラブくり抜き装置の使用状態を示す縦断面図である。
【図２】図１の装置におけるコアビット上部に装着された頂部ブロックの内部を拡大して示す縦断面図である。
【図３】上記装置におけるチェーン部材下端に接続されたアンカー係合部材の詳細構造を示す縦断面図である。
【図４】図３のアンカー係合部材の下端部に装着されたリング部材を取外して示す斜視図である。
【符号の説明】
【００２７】
１  コンクリートスラブ
１ａ  コンクリートスラブ塊
２  架構
２ａ  フート部
２ｂ  取付けボルト
３  ラック
４  ハンドル
５  竪型モーター
５ａ  駆動軸系
６  コアビット
６ａ  カッター部
６ｂ  雌ねじ孔
７  チェーン部材
７ａ  鉛直棒
７ｂ  ベアリング
８  頂部ブロック
８ａ  下端雄ねじ部
８ｂ  雌ねじ孔
８ｃ  中心孔
９  ねじ蓋
10  通水孔
11 アンカー
11ａ  雄ねじ部
12  柱状体
12ａ  雌ねじ孔
12ｂ  上部バネ受  
13  スプリングピン
14  筒状本体
14ａ  雌ねじ
15  下部バネ受
15ａ  雄ねじ
15ｂ  中心孔
16  緩衝用コイルバネ
17  止めネジ機構
18  リング部材
18ａ  スパナ係合用平面部
20  アンカー係合部材
【図１】
2005325546.tif 000003
【図２】
2005325546.tif 000004
【図３】
2005325546.tif 000005
【図４】
2005325546.tif 000006